(57)【要約】      （修正有）【課題】施工手順が簡易迅速であって、施工工数を大幅に削減すると共に分岐ソケットと固定プラグの密閉性を高め安定した品質を備え部品点数を削減した分岐管継ぎ手構造を提供する。【解決手段】分岐管継ぎ手Ｂはハウジング５及び弾性スリーブ６に形成されたプラグ挿入用孔７に筒状部を挿入する固定プラグ８と、該固定プラグ８の鍔部８ｂと前記ハウジング５及び前記弾性スリーブ６を挾着・保持する分岐ソケット９と、前記ハウジング５の円周方向の締付けボルト孔１１ａ、１１ａに対向して、該ハウジング５の外表面に固定している複数の締付け板１１、１１と、該締付け板１１、１１間を橋架しかつ前記弾性スリーブ６の両端に嵌挿されかつ固定される一方及び他方の管１０ａ、１０ｂを締付ける締付けボルト１２とで構成される。【選択図】図１
2006183842.tif 000002
【特許請求の範囲】
【請求項１】
左・右に開口を有すると共に略円筒体で構成されたハウジングと、このハウジングに接続する分岐管を連結する分岐ソケットと、前記ハウジングの内周面に装着されかつ左・右の開口から一方及び他方の管を挿入・配置する弾性スリーブとでなる管継ぎ手に於いて、前記ハウジング及び前記弾性スリーブの一部にプラグ挿入用孔を形成してなり、該プラグ挿入用孔に挿入する筒状部及び一連の山形状突起を形成した鍔部を有した固定プラグと、前記固定プラグの筒状部に螺合するねじ及びシール機構を内壁面に形成した分岐ソケットとを備えたことを特徴とする分岐管継ぎ手の構造。
【請求項２】
左・右に開口を有すると共に略円筒体で構成されたハウジングと、このハウジングに接続する分岐管を連結する分岐ソケットと、前記ハウジングの内周面に装着されかつ左・右の開口から一方及び他方の管を挿入・配置する弾性スリーブとでなる管継ぎ手に於いて、前記弾性スリーブがその一方側の内壁面（内周面）に一方の管の伸縮変動を許容する左右屈折自在片を、その他方側の内壁面（内周面）に他方の管を所定位置で進入停止させるストッパ片をそれぞれ一体形成すると共に前記ハウジング及び前記弾性スリーブの一部にプラグ挿入用孔を形成してなり、該プラグ挿入用孔に挿入する筒状部及び一連の山形状突起を形成した鍔部を有した固定プラグと、前記固定プラグの筒状部に螺合するねじ及びシール機構を内壁面に形成した分岐ソケットとを備えたことを特徴とする分岐管継ぎ手の構造。
【請求項３】
前記分岐ソケットは、その内壁面が分岐管と螺合するねじを上方が径大でなるテーパ面上に形成した上側壁面と、保持突起間にシール部材を周設したシール機構の壁面と、前記固定プラグの筒状部に形成したねじに螺合するねじを形成した下側壁面とでなることを特徴とする請求項１又は２記載の分岐管継ぎ手の構造。
【請求項４】
前記固定プラグは、その筒状部の一部に所定幅長の少なくとも一つの平坦面を形成したことを特徴とする請求項１又は２記載の分岐管継ぎ手の構造。
【請求項５】
前記ハウジングは、その円周方向に一端を固定してあって、所望数個かつ互に所定間隔を有して配置した締付け板を備えたことを特徴とする請求項１又は２記載の分岐管継ぎ手の構造。
【請求項６】
前記ハウジングに於ける相互の締付け板間の所定間隔部位は、固定用ブラケットのアームで固定することを特徴とする請求項５記載の分岐管継ぎ手の構造。
【発明の詳細な説明】
【技術分野】
【０００１】
本発明は、一方及び他方の管を突合せて接続すると共にその突合せ部分にプラグを本体から突出成形し、このプラグに分岐管を接続する分岐ソケットを備えた分岐管継ぎ手構造に関するものである。
【背景技術】
【０００２】
従来、この種の分岐管継ぎ手の構造を示す技術の一つの例としては、特許第２８５８３９３号の特許公報に開示された技術がある。
これについて説明すれば、図９に示すように、ゴムスリーブ１の中空筒状部の突出部１ａは、分岐用ソケット２に嵌挿され、その先端を分岐用ソケット２の内面に形成された分岐管接続用ねじ部２ａの端部段差部２ｂに当接させて、水密、油密、気密に密接している。ねじ部２ａが形成されていない分岐用ソケット２にあっては、その内面に別途段差部を形成する。この構造は、分岐用ソケット２の定着するハウジング３内面と分岐用ソケット２の内面とゴムスリーブ１の密着性をハウジング３の締め付け機構の締め付けにより同時に確保することができる。そして、軸方向両端部に縁部３ａをもつハウジング３の内面に、接続すべき管の密封用の内圧封止式のゴムスリーブ１が装着され、ハウジング３に開口した分岐口の周辺円筒面にハウジング３の円筒面に沿う曲面を形成した端面を有する分岐用ソケット２が溶接Ａにより一体化してある分岐管継ぎ手である。また、この分岐管継ぎ手は、図９に示すように、ハウジング３に分岐口３ｂを開口し、この分岐口３ｂの周辺円筒面に、端面をハウジング３の円筒面に沿う曲面に形成された分岐用ソケット２を定着して、図９に例示するように、溶接Ａにより一体化し、この分岐用ソケット２内面にハウジング３内面に装着されているゴムスリーブ１のハウジング３の分岐口３ｂに対応する箇所を突出させて形成した突出部１ａと対向して接続されるべき管４ａ対管４ｂの管端部面に密着して位置するように形成した密着座とからなる中空を有する中空筒状部の突出部１ａを分岐用ソケット２に嵌挿してなる。
【０００３】
次に、この種の分岐管継ぎ手の構造を示す技術の他の例としては、特許第２８５８３９４号の特許公報に開示された技術であって、上述した一つの例と概ね同一の構成であるが、この分岐管継ぎ手は、ハウジング３の開口部が図１０に示すように、ハウジング３に分岐口３ｂを開口し、分岐口３ｂの周辺を円筒面外周に対して凹又は凸の平坦な定着面３ｃに形成し、この定着面３ｃに図９に示す分岐用ソケット２を、定着面３ｃに定着して溶接により一体化し、ハウジング３の内面に装着されている図９に示すゴムスリーブ１のハウジング３の分岐口３ｂに対応する箇所を突出させて形成した図９に示す突出部１ａと対向して接続されるべき管４ａ対管４ｂの管端部面に密着して位置するように形成した密着座とからなる中空を有する中空筒状部の突出部１ａを分岐用ソケット２に嵌挿してなる。
【特許文献１】特許第２８５８３９３号の特許公報
【特許文献２】特許第２８５８３９４号の特許公報
【発明の開示】
【発明が解決しようとする課題】
【０００４】
従来の技術は、叙上した構成であるので次の課題が存在した。
従来の技術に於ける前述した一つの例及び他の例に開示した技術によれば、ハウジング３の分岐口３ｂを開口し、この分岐口３ｂの周辺円筒面に分岐ソケット２を溶接手段で溶着Ａして固定するので、作業工数が増大するうえに溶接方法によっては品質が安定しないという問題点があった。
【０００５】
また、経年変化により、ゴムスリーブ１の圧縮率が変動し分岐ソケット２と該ゴムスリーブ１の機密性が不安定となり、防水機能が果せず、分岐ソケット２の品質劣化が惹起されるという惧れも存在した。そして、一方及び他方の管４ａ、４ｂを当該分岐管継ぎ手本体に突合せ構成した後に於いて、該ゴムスリーブ１の経年変化や熱伸縮による変化を吸収する手段を別途に上記ハウジング３内に配備する必要があり、当該分岐管継ぎ手の部品点数が増大するうえに構造が複雑化し、その製作性が悪いという隘路があった。
さらに、当該分岐管継ぎ手をコンクリート躯体等に取付けるための技術的処理が施こされておらず、利用面に於いて不利不便であるという弊害があった。
【０００６】
尚、上述した他の例に於いて、そのハウジング３の分岐口３ｂの周辺に凹又は凸の平坦な定着面を配備した技術であるが、かかる技術によっても、上述した問題点が存することに何等変わるところがない。
本発明が解決しようとする課題は、背景技術で述べた問題点を解決することにある。
【課題を解決するための手段】
【０００７】
本発明に係る分岐管継ぎ手の構造は、全体が略円筒体で成形されたハウジングの内周面に一方及び他方の管を挿入し、該両管を所望の位置に配置・固定する弾性スリーブを貼着すると共に該ハウジングの長さ方向の略中心部位に該ハウジングの内部から鍔部及び筒状部を有した固定プラグの該筒状部を挿入するための挿通孔を形成してなり、そして該固定プラグの鍔部の上面及び筒状部の外周面には一連の山形状突起及び雄ねじを形成すると共に該固定プラグの筒状部を前記挿通孔に挿入した後に該固定プラグの筒状部の雄ねじが略円筒体でなるシール材を有した分岐ソケット内の雌ねじと螺合し、該固定プラグの鍔部の一連の山形状突起が前記ハウジング内の弾性スリーブに喰い込み前記固定プラグが分岐ソケットに緊締され、施工手順が簡易迅速であって、施工工数を大幅に削減すると共に分岐ソケットと固定プラグの密閉性を高めるうえに、一方、他方の管の進入度合も制御できる安定した品質を備えかつ部品点数を削減した分岐管継ぎ手の構造を提供することを目的としたものであって、次の構成、手段から成立する。
【０００８】
すなわち、請求項１記載の発明によれば、左・右に開口を有すると共に略円筒体で構成されたハウジングと、このハウジングに接続する分岐管を連結する分岐ソケットと、前記ハウジングの内周面に装着されかつ左・右の開口から一方及び他方の管を挿入・配置する弾性スリーブとでなる管継ぎ手に於いて、前記ハウジング及び前記弾性スリーブの一部にプラグ挿入用孔を形成してなり、該プラグ挿入用孔に挿入する筒状部及び一連の山形状突起を形成した鍔部を有した固定プラグと、前記固定プラグの筒状部に螺合するねじ及びシール機構を内壁面に形成した分岐ソケットとを備えたことを特徴とする。
【０００９】
請求項２記載の発明によれば、左・右に開口を有すると共に略円筒体で構成されたハウジングと、このハウジングに接続する分岐管を連結する分岐ソケットと、前記ハウジングの内周面に装着されかつ左・右の開口から一方及び他方の管を挿入・配置する弾性スリーブとでなる管継ぎ手に於いて、前記弾性スリーブがその一方側の内壁面（内周面）に一方の管の伸縮変動を許容する左右屈折自在片を、その他方側の内壁面（内周面）に他方の管を所定位置で進入停止させるストッパ片をそれぞれ一体形成すると共に前記ハウジング及び前記弾性スリーブの一部にプラグ挿入用孔を形成してなり、該プラグ挿入用孔に挿入する筒状部及び一連の山形状突起を形成した鍔部を有した固定プラグと、前記固定プラグの筒状部に螺合するねじ及びシール機構を内壁面に形成した分岐ソケットとを備えたことを特徴とする。
【００１０】
請求項３記載の発明によれば、請求項１又は２記載の発明に於いて、前記分岐ソケットは、その内壁面が分岐管と螺合するねじを上方が径大でなるテーパ面上に形成した上側壁面と、保持突起間にシール部材を周設したシール機構の壁面と、前記固定プラグの筒状部に形成したねじに螺合するねじを形成した下側壁面とでなることを特徴とする。
【００１１】
請求項４記載の発明によれば、請求項１又は２記載の発明に於いて、前記固定プラグは、その筒状部の一部に所定幅長の少なくとも一つの平坦面を形成したことを特徴とする。
【００１２】
請求項５記載の発明によれば、請求項１又は２記載の発明に於いて、前記ハウジングは、その円周方向に一端を固定してあって、所望数個かつ互に所定間隔を有して配置した締付け板を備えたことを特徴とする。
【００１３】
請求項６記載の発明によれば、請求項５記載の発明に於いて、前記ハウジングに於ける相互の締付け板間の所定間隔部位は、固定用ブラケットのアームで固定することを特徴とする。
【発明の効果】
【００１４】
本発明に係る分岐管継ぎ手の構造は、叙上の構成を有するので次の効果がある。
すなわち、請求項１記載の発明によれば、左・右に開口を有すると共に略円筒体で構成されたハウジングと、このハウジングに接続する分岐管を連結する分岐ソケットと、前記ハウジングの内周面に装着されかつ左・右の開口から一方及び他方の管を挿入・配置する弾性スリーブとでなる管継ぎ手に於いて、前記ハウジング及び前記弾性スリーブの一部にプラグ挿入用孔を形成してなり、該プラグ挿入用孔に挿入する筒状部及び一連の山形状突起を形成した鍔部を有した固定プラグと、前記固定プラグの筒状部に螺合するねじ及びシール機構を内壁面に形成した分岐ソケットとを備えたことを特徴とする分岐管継ぎ手の構造を提供する。
このような構成としたので、分岐ソケットが溶着手段によることなく螺合によって固定プラグに固定することができ、組立工数及び配管施工工期を大幅に削減できると共に固定プラグの鍔部に形成した一連の山形状突起を弾性スリーブに喰込ませて、ハウジング及び該弾性スリーブを前記分岐ソケットと固定プラグ間に止着するので、止水機能を高める効果がある。
【００１５】
請求項２記載の発明によれば、左・右に開口を有すると共に略円筒体で構成されたハウジングと、このハウジングに接続する分岐管を連結する分岐ソケットと、前記ハウジングの内周面に装着されかつ左・右の開口から一方及び他方の管を挿入・配置する弾性スリーブとでなる管継ぎ手に於いて、前記弾性スリーブがその一方側の内壁面（内周面）に一方の管の伸縮変動を許容する左右屈折自在片を、その他方側の内壁面（内周面）に他方の管を所定位置で進入停止させるストッパ片をそれぞれ一体形成すると共に前記ハウジング及び前記弾性スリーブの一部にプラグ挿入用孔を形成してなり、該プラグ挿入用孔に挿入する筒状部及び一連の山形状突起を形成した鍔部を有した固定プラグと、前記固定プラグの筒状部に螺合するねじ及びシール機構を内壁面に形成した分岐ソケットとを備えたことを特徴とする分岐管継ぎ手の構造を提供する。
このような構成としたので、請求項１記載の発明の効果に加えて、当該分岐管継ぎ手に配管される一方の管又は他方の管の熱伸縮作用に際しても別異の熱吸収手段を備えることなく弾性スリーブでこれを吸収することができ部品点数を増やすことなく安定位置で一方の管又は他方の管を固定でき、分岐管継ぎ手の品質・機能を向上させる効果がある。
【００１６】
請求項３記載の発明によれば、前記分岐ソケットは、その内壁面が分岐管と螺合するねじを上方が径大でなるテーパ面上に形成した上側壁面と、保持突起間にシール部材を周設したシール機構の壁面と、前記固定プラグの筒状部に形成したねじに螺合するねじを形成した下側壁面とでなることを特徴とする請求項１又は２記載の分岐管継ぎ手の構造を提供する。
このような構成としたので、請求項１又は２記載の発明の効果に加えて、該分岐ソケットの内壁面にシール機能を備えたので２段階に渉り止水機能を発揮させることができるうえに、該分岐ソケットの内壁面に上方が径大となるテーパ面を形成し、これと係合する分岐管との密閉性を容易に高める効果がある。
【００１７】
請求項４記載の発明によれば、前記固定プラグは、その筒状部の一部に所定幅長の少なくとも一つの平坦面を形成したことを特徴とする請求項１又は２記載の分岐管継ぎ手の構造を提供する。
このような構成としたので、請求項１又は２記載の発明の効果に加えて、分岐ソケットを固定プラグにねじ締めした際、該分岐ソケットの所定量以上進入した場合の廻り止め及びストッパー機能を図り、該固定プラグの共廻り作用を防止でき、該分岐ソケットと固定プラグとの締め付け作業が容易となり、両者を緊締させる効果がある。
【００１８】
請求項５記載の発明によれば、前記ハウジングは、その円周方向に一端を固定してあって、所望数個かつ互に所定間隔を有して配置した締付け板を備えたことを特徴とする請求項１又は２記載の分岐管継ぎ手の構造を提供する。
このような構成としたので、簡易な構成でなる締付け板を備え、弾性スリーブとハウジングを容易かつ迅速に密着させる効果がある。
【００１９】
請求項６記載の発明によれば、前記ハウジングに於ける相互の締付け板間の所定間隔部位は、固定用ブラケットのアームで固定することを特徴とする請求項５記載の分岐管継ぎ手の構造を提供する。
このような構成としたので、コンクリート躯体等に固定される固定用ブラケットのアーム（フック部）をハウジング外表面に於ける所定間隔部位に介入させて極めて容易かつ迅速に分岐管継ぎ手を止着することができる効果がある。
【発明を実施するための最良の形態】
【００２０】
以下、本発明に係る分岐管継ぎ手の構造に於ける実施の形態について添付図面に基づき詳細に説明する。
【００２１】
図１は、本発明に係る分岐管継ぎ手の構造に於ける実施の形態を示すものであって、その要部を垂直に断面した側面図である。
【００２２】
Ｂは分岐管継ぎ手であって、大概すれば、略円筒体で構成されかつその両端に開口縁５ａを折曲形成したハウジング５と、該ハウジング５の内周面に貼着しかつ装着された弾性スリーブ６と、前記ハウジング５及び前記弾性スリーブ６に形成されたプラグ挿入用孔７に筒状部を挿入する固定プラグ８と、該固定プラグ８の鍔部８ｂと分岐ソケット９の下端９ａ間で前記ハウジング５及び前記弾性スリーブ６を挾着・保持する分岐ソケット９と、前記ハウジング５の円周方向の一端が不連続となった円筒形状の不連続箇所に備えかつ締付けボルト孔１１ａ、１１ａを対向して形成しかつ、一端を該ハウジング５の外表面に固定している複数の締付け板１１、１１と、この複数の締付け板１１、１１の締付けボルト孔１１ａ、１１ａ内に係入しかつ締付けボルト１２、１２に直交して結合した棒状ナット１２ａ、１２ａと、該締付け板１１、１１間を橋架しかつ前記弾性スリーブ６の両端に嵌挿されかつ固定される図５（ａ）、（ｂ）に示す一方及び他方の管１０ａ、１０ｂを締付ける締付けボルト１２とで構成される。
【００２３】
尚、前記締付け板１１、１１の対向面間にはスライド板１３が介装されている。すなわち、該スライド板１３は上・下端のいずれかを前記ハウジング５の内壁面に固着すると共に前記弾性スリーブ６の表面を覆設している。また、締付けボルト１２、１２の頭部１２ｂは締付け板１１、１１の締付け作業を容易にすべく例えば、六角穴が形成されている。
尚、分岐管継ぎ手Ｂの全体の外観例及び各構成部材の組付状態の例は図７及び図８に示している。
【００２４】
前記ハウジング５はその頂部付近に平坦面５ｂを形成し、前記分岐管継ぎ手Ｂは、その固定プラグ８の筒状部８ａが図２に示すように、前記ハウジング５及び前記弾性スリーブ６は、その頂部付近を略台形状に形成すると共にそのハウジング５の平坦面５ｂを形成する。その平坦面５ｂを開口して形成されたプラグ挿入用孔７に挿入される。ここで、前記固定プラグ８は、図３に示すように全体が略帽子形状であって、（ａ）は平面図、（ｂ）は（ａ）の矢視Ｃ−Ｃ線方向を切断した断面図である。そして、本体部としての筒状部８ａと、その筒状部８ａから外方に延出した略円盤形状の鍔部８ｂを有してなり、この筒状部８ａの外周には後述する分岐ソケット９を螺合する雄ねじ８ｃを刻設してある。該鍔部８ｂの上面（座面）には、前記弾性スリーブ６が圧縮時に逃げないように一連の山形状突起８ｄ又はねじ山を加工・形成してある。
【００２５】
また、前記固定プラグ８の筒状部８ａの一部は図示するように所定幅長の平坦面８ｅ、８ｅを該筒状部８ａの前後又は左右の対向位置にそれぞれ形成し、後述する分岐ソケット９を螺合した際、該分岐ソケット９が、所定量以上に進入しないように該分岐ソケット９の廻り止め及びストッパーとしての機能を果している。
尚、前記筒状部８ａは該固定プラグ８の上方部に段差部８ｆを形成し、分岐ソケット９の内壁面９ｂと接合するように構成している。また、分岐ソケット９の固定プラグ８へのねじ締め完了の際、該分岐ソケット９の下端９ａがハウジング５の平坦面５ｂに密着状態に固定される。
【００２６】
次に、図４（ａ）、（ｂ）に基づき前記固定プラグ８と螺合する分岐ソケット９を説明する。
図４は本発明に適用する略円筒形状を有した当該分岐ソケット９を示すものであって、（ａ）は平面図、（ｂ）は（ａ）の矢視Ｄ−Ｄ線方向の断面図である。
【００２７】
前記分岐ソケット９の内壁面９ｂはその垂直方向の略中心部分に於ける周部に配設したシール機構の壁面９Ａと、上側壁面（分岐管挿入側壁面）９Ｂと、下側壁面９Ｃとで構成されている。前記上側壁面９Ｂは密閉性を確保すべく下方より上方が径大となるようにテーパ面を形成してあって、そのテーパ面上に分岐管（図示せず）のテーパ面上に形成した雄ねじに螺合する雌ねじ９ｃを周設している。また、シール機構の壁面９Ａには、例えば樹脂又はゴム材料等でＯリング状に成形したシール部材９ｄと、該シール部材９ｄを保持する保持突起９ｅとをそれぞれ周設してシール機構を構成している。また、前記下側壁面９Ｃは分岐ソケット９の軸心方向に平行に構成されてあって、その表面には前記固定プラグ８の雄ねじ８ｃと螺合する雌ねじ９ｆが周設されている。
尚、テーパ面を形成した前記上側壁面９Ｂは分岐管（図示せず）のねじ部が垂直又は水平であればテーパ面を形成する必要はない。
【００２８】
図５は、前記ハウジング５の形状及び内部構造を示す一例であって、（ａ）は平面図、（ｂ）は（ａ）の矢視Ｅ−Ｅ線方向を切断した拡大断面図である。
【００２９】
前記ハウジング５は例えば、軽量かつ耐腐食性の高いオーステナイト系ステンレス材料等で構成し、水平幅長Ｓが好適な設計仕様としては、通例の場合に於ける幅長約２．０ないし２．５倍程度、すなわち約１１０（ｍｍ）ないし２６５（ｍｍ）であり、締付け板１１に装着される締付けボルト１２は、ハウジング５の水平幅長Ｓに比例して装着本数を増減する必要があり、２本ないし４本にして、現場での運搬作業の簡便化を実現し及び他の部品との組立をし易く構成している。
【００３０】
前記弾性スリーブ６は例えば、エチレン、プロピレン、ジエン共重合体（ＥＰＤＭ）等の耐久性及び耐腐食性の高い材料で成形し、図５（ｂ）に示すように、全体の外面形状が前記ハウジング５と略同一の円筒体で構成されハウジング５の内周面に嵌合又は貼着しており、その内周面又は内壁面に一方では一方の管１０ａの伸縮変動作用を許容するために該表面に複数個かつ一連に成形した左右屈折自在片６ａ、６ａ…を一方及び他方の中間部位に小突起６ｃを所定間隔毎成形し、さらに他方では他方の管１０ｂを所定位置で進入停止させるストッパ片６ｂをそれぞれ一体的に形成かつ周設している。
【００３１】
そして、前記左右屈折自在片６ａは、図５（ｂ）に示すように、複数個分割し、これを一連に形成しているが、単一のものであって、例えば一方の管１０ａ方向に連続した凹凸状の小突起で構成してもよい。また、ストッパ片６ｂに隣接するハウジング５の開口部分に於ける弾性スリーブ６には平坦突起６ｄを一体形成し、周設している。
【００３２】
次に、本発明に係る分岐管継ぎ手の構造に於ける実施の形態の組立手順や作用等について説明する。
【００３３】
先づ、ハウジング５の水平幅長Ｓと略同一幅長の弾性スリーブ６を嵌着・施工する。そして、図２に示すように、固定プラグ８の筒状部８ａをプラグ挿入用孔７に挿入した後、分岐ソケット９の雌ねじ９ｆを該固定プラグ８の雄ねじ８ｃに螺合し、該分岐ソケット９を該固定プラグ８に固定する。この際、プラグ挿入用孔７の周辺部に於ける前記ハウジング５の略台形状の平坦面５ｂが分岐ソケット９の下端９ａに密着固定すると共に該ハウジング５の内周面に装着された弾性スリーブ６の段差状下面６ｅに前記固定プラグ８の鍔部８ｂの山形状突起８ｄ又はねじ山が喰込み、上記プラグ挿入用孔７の周辺部に於けるハウジング５及び弾性スリーブ６が分岐ソケット９と固定プラグ８間に挾着される。
尚、固定プラグ８を分岐ソケット９に挾着した際、該固定プラグ８の下面は、一方及び他方の管１０ａ、１０ｂ内に於ける媒体を円滑に流送するためには前記弾性スリーブ６の内周面と面一になるように該固定プラグ８の高さを設定することが望ましい。
【００３４】
次に、前記ハウジング５の一方の開口縁５ａ内（開口部）から一方の管１０ａを図５（ｂ）の仮想線で示す位置まで挿入する。このとき、弾性スリーブ６の内壁面に形成したストッパ片６ｂの背部に該一方の管１０ａの端部が衝当し、進入停止する。さらに、前記ハウジング５の他方の開口縁５ａ内（開口部）から他方の管１０ｂを図５（ｂ）で示すように平坦突起６ｄ上をスライドしつつストッパ片６ｂが前部まで進入させ停止する。
【００３５】
そこで、前記ハウジング５や一方及び他方の管１０ａ、１０ｂ又は該両管１０ａ、１０ｂ内を流送する媒体の流量又は流速若しくは該ソケット９に接続される分岐管等の種類又は設計仕様や設計条件等により、上記一方の管１０ａを後退調整し、図５（ｂ）の実線で示す位置に設定する。このとき、該一方の管１０ａは該弾性スリーブ６の内壁面に形成した小突起６ｃ及び左右屈折自在片６ａ、６ａ…を屈折変形させながら後退する移動距離を微制御・管理されて後退する。
【００３６】
かくして、一方の管１０ａ及び他方の管１０ｂが前記ハウジング５及び前記弾性スリーブ６内の所定位置に設定される。そして、図５（ａ）で示す例えば、３つの締付け板１１に装着された各々１個ないし２個の締付けボルト１２の頭部１２ｂを６角ボルト等を形成した締付け工具で回動し、該ハウジング５の外表面を締付ける。このとき、前記スライド板１３の自由端は該ハウジング５を締付ける際の移動に従い、該ハウジング５の内壁面をスライドする。
【００３７】
そして、当該分岐管継ぎ手Ｂは、前記分岐ソケット９の雌ねじ９ｃに分岐管（図示せず）の雄ねじを螺合し、ねじ締め固定すると共にコンクリート躯体等の構造物に固定された固定ブラケット（図示せず）に固定される。
ここに於いて、前記ハウジング５の外表面には図５（ａ）に示すように前記締付け板１１を相互に所定間隔Ｓ１を有して配置・固定している。この所定間隔Ｓ１は固定ブラケットのアーム又はバンドを係止するスペースとして設定する。このように構成したので分岐管継ぎ手Ｂを例えば、異形状のコンクリート躯体であっても容易・迅速に堅固に固定することが可能となる。
【００３８】
また、本発明に係る分岐管継ぎ手は、一方及び他方の管１０ａ、１０ｂが長年月の使用や環境条件の変化等により熱伸縮作用を奏するが、図６に示すように、一方の管１０ａが矢印Ｆ１方向へ縮退移動したとき、又は矢印Ｆ２方向に進出移動したとき該弾性スリーブ６の左右屈折自在片６ａが実線及び破線のように変形し、該一方の管１０ａの伸縮変動又は進退移動を許容するという特質を備えるものである。
【００３９】
本発明に係る分岐管継ぎ手の構造は、上述のように明細書でその構成や作用等について記載したが、これは実施の形態を示すものであって、特に本発明を限定したものではなく、本発明の保護内容は特許請求の範囲の記載事項で特定されるものである。
【図面の簡単な説明】
【００４０】
【図１】本発明に係る分岐管継ぎ手の構造に於ける実施の形態を示すものであって、その要部を垂直に断面した側面図である。
【図２】本発明に係る分岐管継ぎ手の構造に於ける実施の形態に適用する分岐ソケットと固定プラグを螺合する際の状態を示す要部を断面した拡大側面図である。
【図３】本発明に係る分岐管継ぎ手の構造に於ける実施の形態に適用する固定プラグを示す図面であって、（ａ）は平面図、（ｂ）は（ａ）の矢視Ｃ−Ｃ線方向の断面図である。
【図４】本発明に係る分岐管継ぎ手の構造に於ける実施の形態に適用する分岐ソケットを示す図面であって、（ａ）は平面図、（ｂ）は（ａ）の矢視Ｄ−Ｄ線方向の断面図である。
【図５】本発明に係る分岐管継ぎ手の構造に於ける実施の形態に適用するハウジングの形状及び内部構造を示す一例であって、（ａ）は平面図、（ｂ）は（ａ）の矢視Ｅ−Ｅ線方向を切断した弾性スリーブの形状を示す断面図である。
【図６】本発明に係る分岐管継ぎ手の構造に於ける実施の形態に適用する一方の管の伸縮変動状態を示す一部切欠した側面図である。
【図７】本発明に係る分岐管継ぎ手の構造に於ける実施の形態を示すものであり、その全体外観例及び各構成部材の組付状態を示す他方から見た斜視図である。
【図８】本発明に係る分岐管継ぎ手の構造に於ける実施の形態を示すものであり、その全体外観例及び各構成部材の組付状態を示す一方から見た斜視図である。
【図９】従来の技術に於ける分岐管継ぎ手の構造を示す一つの例であって、要部を切欠した断面図である。
【図１０】従来の技術に於ける分岐管継ぎ手の構造を示す他の例であって、ハウジングの開口部の構成を示す断面図である。
【符号の説明】
【００４１】
５      ハウジング
５ａ    ハウジングの開口縁
５ｂ    ハウジングの平坦面
６      弾性スリーブ
６ａ    弾性スリーブの左右屈折自在片
６ｂ    弾性スリーブのストッパ片
６ｃ    弾性スリーブの小突起
６ｄ    弾性スリーブの平坦突起
６ｅ    弾性スリーブ段差状下面
７      プラグ挿入用孔
８      固定プラグ
８ａ    固定プラグの筒状部
８ｂ    固定プラグの鍔部
８ｃ    固定プラグの雄ねじ
８ｄ    固定プラグの山形状突起（ねじ山）
８ｅ    固定プラグの平坦面
８ｆ    固定プラグの段差部
９      分岐ソケット
９ａ    分岐ソケットの下端
９ｂ    分岐ソケットの内壁面
９Ａ    分岐ソケットのシール機構の壁面
９ｄ    分岐ソケットのシール機構の壁面のシール部材
９ｅ    分岐ソケットのシール機構の壁面の保持突起
９Ｂ    分岐ソケットの上側壁面
９ｃ    分岐ソケットの上側壁面の雌ねじ
９Ｃ    分岐ソケットの下側壁面
９ｆ    分岐ソケットの下側壁面の雌ねじ
１０ａ  一方の管
１０ｂ  他方の管
１１    締付け板
１１ａ  締付け板の締付けボルト孔
１２    締付けボルト
１２ａ  棒状ナット
１２ｂ  締付けボルトの頭
１３    スライド板
Ｆ１    一方の管の縮退移動方向
Ｆ２    一方の管の進出移動方向
Ｓ      ハウジングの水平幅長
Ｓ１    締付け板の相互所定間隔
【図１】
2006183842.tif 000003
【図２】
2006183842.tif 000004
【図３】
2006183842.tif 000005
【図４】
2006183842.tif 000006
【図５】
2006183842.tif 000007
【図６】
2006183842.tif 000008
【図７】
2006183842.tif 000009
【図８】
2006183842.tif 000010
【図９】
2006183842.tif 000011
【図１０】
2006183842.tif 000012